(57)【要約】      （修正有）【課題】携帯性と衛生用薄葉紙の収納量の増大との両立が図れる衛生用薄葉紙収納容器を提供する。【解決手段】衛生用薄葉紙を内部に収納する収納部２と、収納部２に着脱自在に取り付けられ、収納部２内部に収納された衛生用薄葉紙を取り出す取出孔３３ａが設けられた蓋部３と、を備える衛生用薄葉紙収納容器であって、収納部２は、蓋部３が着脱自在に取り付けられる取付部２１と、取付部２１に接続され、収納される衛生用薄葉紙の収納量に応じて形状変更可能に形成された収納部本体２２と、から構成されている。【選択図】図２
2018052568.tif 000002
【特許請求の範囲】
【請求項１】
衛生用薄葉紙を内部に収納する収納部と、前記収納部に着脱自在に取り付けられ、前記収納部内部に収納された衛生用薄葉紙を取り出す取出孔が設けられた蓋部と、を備える衛生用薄葉紙収納容器であって、
前記収納部は、
前記蓋部が着脱自在に取り付けられる取付部と、
前記取付部に接続され、収納される衛生用薄葉紙の収納量に応じて形状変更可能に形成された収納部本体と、
から構成されていることを特徴とする衛生用薄葉紙収納容器。
【請求項２】
前記収納部本体は、衛生用薄葉紙の積層方向に伸縮自在であることを特徴とする請求項１に記載の衛生用薄葉紙収納容器。
【請求項３】
前記収納部本体は、前記積層方向に伸縮自在な蛇腹状に形成されていることを特徴とする請求項２に記載の衛生用薄葉紙収納容器。
【請求項４】
前記収納部は、前記収納部本体内部に備えられ、平面視において前記取付部の開口部と略重なる底板を備えることを特徴とする請求項２又は３に記載の衛生用薄葉紙収納容器。
【請求項５】
前記衛生用薄葉紙は、
ロール状に巻かれた状態で前記収納部に収納され、ロールの中心部側からその端部を引き出すことができるように形成されると共に、
長さ方向に一定間隔をおいてミシン目が施され、そのミシン目に沿って切り離して使用することができるように形成されており、
前記収納部本体は、前記積層方向と直交する径方向に伸縮自在であることを特徴とする請求項２〜４の何れか一項に記載の衛生用薄葉紙収納容器。
【発明の詳細な説明】
【技術分野】
【０００１】
本発明は、ウェットシートやウェットティッシュ等の衛生用薄葉紙を収納する衛生用薄葉紙収納容器に関する。
【背景技術】
【０００２】
従来、家屋の床やトイレ、或いは人体などを拭くための衛生用薄葉紙を収納する衛生用薄葉紙収納容器が知られている。
このような衛生用薄葉紙収納容器として、内部に収納されたシート材が減少した場合にもシート材を取出し易いように、底蓋を上方に持ち上げることができるようにし、取出孔とシート材との距離が遠くならないよう構成されたものが存在している（例えば、特許文献１参照）。
【先行技術文献】
【特許文献】
【０００３】
【特許文献１】特開２０１４−６５５１０号公報
【発明の概要】
【発明が解決しようとする課題】
【０００４】
ところで、従来の衛生用薄葉紙収納容器においては、収納されたシート材が無くなれば、新たな詰替え用のシート材を毎回詰め替える必要があるため煩雑である一方、収納できるシート材の最大量を増やす構成にした場合、容器自体が嵩張って携帯性が損なわれるといった問題点があった。
これに対して、上記特許文献１記載の構成は、底蓋を持ち上げ内部に収納されたシート材と取出孔の距離を近づけることはできるものの、この際に容器自体の大きさが変化することはないから、内部に収納されたシート材の量が少なくなっても、容器自体を小さくすることはできない。
従って、収納できるシート材の最大量を増やそうとすれば、容器の大型化は避けられず、携帯性と収納量の両立が困難であった。
【０００５】
本発明の課題は、携帯性と衛生用薄葉紙の収納量の増大との両立が図れる衛生用薄葉紙収納容器を提供することである。
【課題を解決するための手段】
【０００６】
上記課題を解決するために、請求項１に記載の発明は、
衛生用薄葉紙を内部に収納する収納部と、前記収納部に着脱自在に取り付けられ、前記収納部内部に収納された衛生用薄葉紙を取り出す取出孔が設けられた蓋部と、を備える衛生用薄葉紙収納容器であって、
前記収納部は、
前記蓋部が着脱自在に取り付けられる取付部と、
前記取付部に接続され、収納される衛生用薄葉紙の収納量に応じて形状変更可能に形成された収納部本体と、
から構成されていることを特徴とする。
【０００７】
また、請求項２に記載の発明は、請求項１に記載の衛生用薄葉紙収納容器において、
前記収納部本体は、衛生用薄葉紙の積層方向に伸縮自在であることを特徴とする。
【０００８】
また、請求項３に記載の発明は、請求項２に記載の衛生用薄葉紙収納容器において、
前記収納部本体は、前記積層方向に伸縮自在な蛇腹状に形成されていることを特徴とする。
【０００９】
また、請求項４に記載の発明は、請求項２又は３に記載の衛生用薄葉紙収納容器において、
前記収納部は、前記収納部本体内部に備えられ、平面視において前記取付部の開口部と略重なる底板を備えることを特徴とする。
【００１０】
また、請求項５に記載の発明は、請求項２〜４の何れか一項に記載の衛生用薄葉紙収納容器において、
前記衛生用薄葉紙は、
ロール状に巻かれた状態で前記収納部に収納され、ロールの中心部側からその端部を引き出すことができるように形成されると共に、
長さ方向に一定間隔をおいてミシン目が施され、そのミシン目に沿って切り離して使用することができるように形成されており、
前記収納部本体は、前記積層方向と直交する径方向に伸縮自在であることを特徴とする。
【発明の効果】
【００１１】
本発明によれば、携帯性と衛生用薄葉紙の収納量の増大との両立が図れる衛生用薄葉紙収納容器を提供することができる。
【図面の簡単な説明】
【００１２】
【図１】実施の形態に係る衛生用薄葉紙収納容器を正面上方から見た斜視図である。
【図２】実施の形態に係る衛生用薄葉紙収納容器の、図１のＩＩ−ＩＩ部における断面図である。
【図３】実施の形態に係る衛生用薄葉紙収納容器の、不使用時における図２と同一の部分における断面図である。
【図４】変形例１の衛生用薄葉紙収納容器を正面上方から見た斜視図である。
【図５】変形例２の衛生用薄葉紙収納容器の、図２と同一の部分における断面図であり、（ａ）は不使用時のものであり、（ｂ）は使用時のものである。
【発明を実施するための形態】
【００１３】
以下、本発明の実施の形態たる衛生用薄葉紙収納容器の具体的な態様について、図１ないし図５に基づいて説明する。ただし、本発明の技術的範囲は、図示例に限定されるものではなく、あくまで特許請求の範囲の記載を基に判断される。
【００１４】
（実施形態の構成）
（全体構成）
衛生用薄葉紙収納容器１は、図１及び図２に示すように、衛生用薄葉紙Ｐ（ロール状に巻かれたウェットシートやウェットティッシュ等のロールペーパー）を内部に収納する収納部２と、収納部２に着脱自在に取り付けられ、上面に取出孔３３ａが形成された蓋部３と、を備えて構成されている。
衛生用薄葉紙Ｐは、上下方向に沿った軸心にロール状に巻かれた状態で収納部２に収納されている。また、衛生用薄葉紙Ｐには、長さ方向に一定間隔をおいてミシン目が施されており、そのミシン目に沿って切り離した衛生用薄葉紙Ｐを、ユーザが使用できるようになっている。なお、本実施形態における衛生用薄葉紙Ｐは、ロールの中心部側からその端部を引き出し、使用することができるように構成されていることが望ましい。
また、上記のように蓋部３が、収納部２に対して着脱自在に構成されていることから、収納部２から蓋部３を取り外した状態で、収納部２の内部に衛生用薄葉紙Ｐを収納したり、内部から衛生用薄葉紙Ｐを取り出したりすることができる。
【００１５】
（収納部）
収納部２は、図２に示すように、取付部２１と、収納部本体２２と、底板２３と、から構成されている。
【００１６】
取付部２１は、例えば、ＰＥ（ポリエチレン）、ＰＰ（ポリプロピレン）、ＰＥＴ（ポリエチレンテレフタレート）、ＡＢＳ樹脂等から形成される。図１及び図２に示すように、上面及び下面が開口部となった円筒形状に形成されており、外形が蓋体本体３１の内径と同一かごく僅かに小さくなるように形成されている。また、外周面に周方向に沿って雄ネジ部２１ａが設けられている。
【００１７】
また、取付部２１の内径は、衛生用薄葉紙Ｐをロール状に巻かれた状態のまま出し入れできるよう、使用する衛生用薄葉紙Ｐの最大径よりも大きくなるように形成されている。
【００１８】
収納部本体２２は、低密度ポリエチレン等の軟性の素材によって、形状を自在に変更できるように形成されている。
なお、収納部本体２２に用いる素材は、内部の気密性を保つと共に自在に形状の変更が可能なものであれば、任意の素材を選択可能である。また、内部に収納される衛生用薄葉紙Ｐが、薬液を染み込ませたものではなく、乾燥を防ぐ必要がない場合には、ネット等の密閉性のない軟性の素材によって構成することも可能である。
収納部本体２２は、図１及び図２に示すように、上面に開口部が備えられた有底円筒形状に形成され、上面の開口部が、取付部２１の下面の開口部に接続される。
【００１９】
収納部本体２２は、高さ方向に複数の衛生用薄葉紙Ｐを積層できる高さを備える必要があり、具体的な高さは内部に収納する衛生用薄葉紙Ｐの最大数に応じて決定される。図２においては衛生用薄葉紙Ｐを３個まで収納可能な構成を記載しているが、衛生用薄葉紙Ｐの収納数はこれに限られるものではなく、さらに多くの衛生用薄葉紙Ｐを収納できるように構成することも可能である。
【００２０】
なお、本実施形態においては、収納部本体２２は取付部２１から底面積が変動しない円筒形状としたが、衛生用薄葉紙Ｐを収納可能なものであれば、これに限られない。例えば、取付部２１との接続部分以外が側方に膨らんだ形状とすれば、同一の高さに複数の衛生用薄葉紙Ｐを収納可能となり、内部の収納容量をより増加することができる。
また、収納部本体２２を合成ゴム等の、形状変更可能であり、かつ伸縮性を有する素材によって形成してもよい。この場合、収納部本体２２を引き延ばすことが可能となり、これにより収納容量を増加させることができる。
【００２１】
底板２３は、図２に示すように、例えば、ＰＥ（ポリエチレン）、ＰＰ（ポリプロピレン）、ＰＥＴ（ポリエチレンテレフタレート）、ＡＢＳ樹脂等から形成された円盤状の部材である。底板２３は、平面視において収納部本体２２の底面と略一致する形状で、僅かに小さく形成されており、収納部本体２２の内部の底面上に備えられる。これによって、収納部本体２２の底面の形状を維持し、内部の衛生用薄葉紙Ｐを支える。
また、図２に示すように、本実施形態において取付部２１及び収納部本体２２は共に円筒形状に形成されており、底板２３は、取付部２１の開口部に対しても、平面視において略重なるよう形成されることとなる。
なお、取付部２１の開口部を通じて底板２３を出し入れしたり、後述のように、不使用時に底板２３を収納部本体２２と共に取付部２１及び蓋体本体３１の内部に収納したりすることを予定する場合には、底板２３は、取付部２１の開口部より小さく形成する必要がある。
これに対し、製造段階で底板２３を収納部２の内部に入れた状態で製造し、これを取り出したり、取付部２１及び蓋体本体３１の内部に収納したりすることを予定しない場合には、必ずしも底板２３を取付部２１の開口部よりも小さく形成する必要はない。例えば、上記のように、収納部本体２２を円筒形状ではなく取付部２１との接続部分以外が側方に膨らんだ形状とする場合には、収納部本体２２の底面は取付部２１の開口部よりも大きくなるが、この場合にも、収納部本体２２の底面に対応した大きさとすることが可能である。
なお、収納部本体２２の底面の強度が十分であれば、底板２３を設けない構成とすることも可能である。
【００２２】
（蓋部）
蓋部３は、図１及び図２に示すように、蓋体本体３１と、小蓋３２と、取出部３３と、から形成される。
【００２３】
蓋体本体３１は、例えば、ＰＥ（ポリエチレン）、ＰＰ（ポリプロピレン）、ＰＥＴ（ポリエチレンテレフタレート）、ＡＢＳ樹脂等から形成されており、下面が開放された円筒形状をなし、天面部３１ａと、側面部３１ｂと、天面部３１ａの平面視内周側に下方に向けて凹状に形成される凹部３１ｃと、蓋体本体３１の平面視略中央に位置し、衛生用薄葉紙収納容器１内部に通じる孔部３１ｄと、凹部３１ｃ内において孔部３１ｄを囲むように円筒形状に立設された本体側壁部３１ｅと、蓋体本体３１の衛生用薄葉紙収納容器１内部側において、孔部３１ｄを囲むように円筒形状に下方に延出して形成された保持部３１ｆと、を備えている。
【００２４】
また、側面部３１ｂの下端部の内周面には、取付部２１の雄ネジ部２１ａと螺合する雌ネジ部３１ｂａが設けられている。これによって、図１及び図２に示すように取付部２１と蓋体本体３１は雄ネジ部と雌ネジ部を介した着脱自在な連結構造をとり、収納部２から蓋部３を取り外すことが可能となっている。
【００２５】
凹部３１ｃは、閉塞時の小蓋３２と平面視における形状が略一致し、小蓋３２を嵌めることができるように形成されている。また、図３に示すように、凹部３１ｃは、前端部が平面視において小蓋３２よりも大きく、小蓋３２が嵌め込まれた状態でも若干の隙間が残るように形成されている。これによって、当該隙間を利用して小蓋３２に指を掛けることが可能となる。
【００２６】
本体側壁部３１ｅは、孔部３１ｄの周囲を囲むように、凹部３１ｃ内において円筒形状に上方に向けて延出して形成されている。本体側壁部３１ｅは、外径が小蓋３２に形成される小蓋側壁部３２ａの内径と同一か、ごく僅かに小さくなるように形成されている。
【００２７】
保持部３１ｆは、取出部３３を孔部３１ｄの下方に保持するためのものであり、図２に示すように、蓋体本体３１の衛生用薄葉紙収納容器１内部側の、孔部３１ｄの周囲に、下方に向けて延出する円筒形状に形成されている。
【００２８】
小蓋３２は、例えば、ＰＥ（ポリエチレン）、ＰＰ（ポリプロピレン）、ＰＥＴ（ポリエチレンテレフタレート）、ＡＢＳ樹脂等から形成され、端部が蓋体本体３１と連結され、閉塞時における下面から突出した小蓋側壁部３２ａを備える。この小蓋３２は、閉塞時の平面視における形状が凹部３１ｃと略一致し、閉塞時に凹部３１ｃに嵌めることができるように形成されている。
小蓋側壁部３２ａは、小蓋３２の閉塞時において下方に向け延出する円筒形状に形成されている。また、小蓋側壁部３２ａは、内径が本体側壁部３１ｅの外径と同一か、ごく僅かに大きくなるように形成されている。これによって、小蓋３２の閉塞時に、小蓋側壁部３２ａと本体側壁部３１ｅとが嵌合し、小蓋側壁部３２ａと本体側壁部３１ｅとで囲まれた空間、ひいては当該空間と孔部３１ｄを介して繋がる衛生用薄葉紙収納容器１内部の空間の気密性を保つことができる。
【００２９】
なお、本実施形態では、共に円筒形状に形成された、本体側壁部３１ｅと小蓋側壁部３２ａとを嵌合させることによって、衛生用薄葉紙収納容器１内部の気密性を保つよう構成しているが、衛生用薄葉紙収納容器１内部の気密性を保つことができれば、上記と異なる構成とすることも可能である。
また、収納する衛生用薄葉紙Ｐが薬液等を染み込ませたものでなく、乾燥を防ぐ必要がない場合には、特に気密手段を備えない構成としてもよい。
【００３０】
取出部３３は、衛生用薄葉紙Ｐを衛生用薄葉紙収納容器１内部から取り出すと共に、これをミシン目に沿って切り離すために用いられるものであり、例えばシリコンゴムにより成型されてなる弾性変形可能な部材である。取出部３３の材料としては、シリコンゴムの他、軟質樹脂材料であるスチレン−ブタジエン系、ポリエステル系、ポリエチレン系、ウレタン系等の熱可塑性エラストマー、その他の任意の樹脂材料を用いることができる。
【００３１】
取出部３３は、略円柱状に形成され、底面中央に上下に貫通する取出孔３３ａを備え、上面における取出孔３３ａの周囲に円周状に溝部３３ｂを備える。溝部３３ｂの直径は、保持部３１ｆの直径と略同一であり、溝部３３ｂに保持部３１ｆを差し込むことで、取出部３３を孔部３１ｄの直下に保持することができる。
（実施形態の作用）
次に、衛生用薄葉紙収納容器１の作用について説明する。
【００３２】
まず、衛生用薄葉紙収納容器１を使用しない場合には、内部を空とした上で、図３に示すように、収納部本体２２を、取付部２１及び蓋体本体３１の内部へと折り畳み、最後に収納部本体２２の底面に収納された底板２３を、収納部本体２２の底面と共に取付部２１の下部開口部に押し込む。収納部本体２２は、形状を自在に変形できる軟性の素材で構成されており、また底板２３も、取付部２１の内径より僅かに小さく構成されていることから、収納部本体２２を、内部の底板２３と共に、完全に取付部２１及び蓋体本体３１の内部へと収納することができる。これによって、衛生用薄葉紙収納容器１は、蓋体本体３１及びこれから僅かに下方に延出した取付部２１のみの大きさに縮小することができる。
【００３３】
次に、衛生用薄葉紙収納容器１を上記の不使用時の状態から使用可能な状態とする場合には、蓋体本体３１及び取付部２１内から、収納部本体２２を引き出し、これを伸ばした上で、取付部２１と蓋体本体３１の螺合部を取り外す。その上で、取付部２１の上面の開口部からロール状の衛生用薄葉紙Ｐを、上下方向に積む形で必要数挿入する。
さらに、最上部の衛生用薄葉紙Ｐのロールの中心部側から、その端部を引き出し、これを、蓋体本体３１の衛生用薄葉紙収納容器１内部側から取出孔３３ａに通し、蓋部３を再び収納部２に固定する。これによって、内部に収納された衛生用薄葉紙Ｐの端部は、取出孔３３ａを挿通し、取出孔３３ａにより保持された状態となる。
この後は、衛生用薄葉紙Ｐの使用の際には、使用者は、取出孔３３ａにより保持された衛生用薄葉紙Ｐを上方に引っ張り、これを引き出した後、ミシン目で切り離して使用する。この際、常に衛生用薄葉紙Ｐの端部は取出孔３３ａによって保持されているから、連続した使用が可能となる。
【００３４】
最上部の衛生用薄葉紙Ｐを使い切った場合には、取付部２１と蓋体本体３１の螺合部を取り外し、上から二つ目のロール状の衛生用薄葉紙Ｐにつき、同様の作業を行う。これを繰り返すことで、上下方向に複数積まれたロール状の衛生用薄葉紙Ｐを順次使用することができる。
【００３５】
この際、収納部本体２２は軟質な素材で構成されていることから、収納部２によって蓋部３が支えられることはなく、図２に示すように、蓋部３は内部に積み重ねられた衛生用薄葉紙Ｐによって支えられていることとなる。従って、内部の衛生用薄葉紙Ｐの個数の減少に応じて、自動的に収納部本体２２が弛んで畳まれていくこととなり、衛生用薄葉紙収納容器１は、常に内部に収納する衛生用薄葉紙Ｐの数に応じた高さとなる。
【００３６】
なお、衛生用薄葉紙Ｐの端部がロールの中心部側から引き出されるように構成されていれば、図２に示すように当該引き出し部分の直上に、蓋部３の中心に備えられた取出孔３３ａが位置することとなる。従って、蓋部３が衛生用薄葉紙Ｐによって支えられており、図２に示すように、衛生用薄葉紙Ｐの上面と取出部３３の下面が接触していたとしても、衛生用薄葉紙Ｐを引き出す上で障害となることはない。
また、衛生用薄葉紙Ｐがロールの外側から引き出される場合には、衛生用薄葉紙Ｐの上面と取出部３３の下面との間に衛生用薄葉紙Ｐの引き出された部分が挟まれ、衛生用薄葉紙Ｐに抵抗が掛かることなるが、この場合でも蓋部３は軽く大きな抵抗とはならないから、衛生用薄葉紙Ｐを使用することは可能である。
【００３７】
（実施形態の効果）
本実施形態によれば、収納部本体２２が形状変更可能に形成されており、内包する衛生用薄葉紙Ｐの数に応じて高さが変化することから、常に内包する衛生用薄葉紙Ｐの数に応じた高さで、衛生用薄葉紙収納容器１を使用することができる。
また、本実施形態によれば、収納部本体２２の内部が空の場合には、これを蓋体本体３１及びその下方にわずかに延出する取付部２１の内部に収納することが可能であるから、不使用時には極めて小さくすることができ、携帯性に優れ、持ち運びも容易となる。
また、本実施形態によれば、収納部本体２２の高さを自在に変形させることができることから、内部に収納する衛生用薄葉紙Ｐの数が減少しても、取付部２１の上部開口部と、内部の衛生用薄葉紙Ｐの距離が遠くなることがなく、使用開始時に衛生用薄葉紙Ｐの端部を引き出す作業等を容易に行うことができる。
【００３８】
（変形例１）
収納部本体２２は、図４に示すように、シリコンゴム等により、上下方向に伸縮可能な蛇腹状に形成してもよい。この場合、収納部本体２２の上下方向の長さの変更が容易となる。
【００３９】
（変形例２）
収納部２は、底板２３を設けず、かつ、収納部本体２２をウレタンゴム等の伸縮性を有する素材で小型に形成することで、図５（ａ）に示すように、内部に衛生用薄葉紙が存在しない不使用時には、収納部本体２２が小さく収縮し、使用時には図５（ｂ）に示すように、収納する衛生用薄葉紙Ｐの高さ（個数）及びその径方向の大きさに応じて、これを伸ばして使用することができるように構成してもよい。なお、収納部本体２２の収縮性が強くなり過ぎると、衛生用薄葉紙Ｐの収納の際、収納部本体２２を引き延ばすのに手間が掛かることとなる。従って、衛生用薄葉紙Ｐの収納の容易性を考慮した場合、収納部本体２２は、ウレタンゴム等により、衛生用薄葉紙Ｐの収納が困難とならない程度の収縮性を有するにとどめて形成することが望ましい。
この場合、収納部本体２２が、常に、内部の衛生用薄葉紙Ｐの数（高さ）のみでなく、その径方向の大きさにも合致した大きさとなるため、よりコンパクトに衛生用薄葉紙収納容器１を使用することができる。
【００４０】
（その他の変形例）
本実施形態においては、ロール状の衛生用薄葉紙Ｐを用いることを想定していたが、衛生用薄葉紙Ｐの形状はこれに限られず、例えば、一枚一枚独立した多数の衛生用薄葉紙Ｐを、連続して取り出せるよう交互に折り重ねられた状態で積層し、これを収納部２の内部に収納してもよい。
この場合も、収納された衛生用薄葉紙Ｐの減少に伴い徐々に蓋部３の高さが下がっていくこととなり、上記と同様の効果を得ることができる。
また、本実施形態においては、蓋部３が収納部２の上部に取り付けられ、衛生用薄葉紙Ｐが上下方向に積層される場合を想定していたが、これに限られず、衛生用薄葉紙Ｐが収納部２の内部に横方向に並べて配置され、収納部２の側面に蓋部３が着脱自在に取り付けられるように構成してもよい。
また、蓋部３が取り付けられる位置は、必ずしも収納部２の端部には限られず、例えば円筒形状の収納部本体２２の側面略中央部付近に取付部２１が備えられ、ここに取出孔３３ａを備えた蓋部３が取り付けられ、収納部本体２２の中心部付近の衛生用薄葉紙Ｐから順に使用するよう構成してもよい。この場合、衛生用薄葉紙Ｐは、ロールの外側からその端部を引き出すように構成することが望ましい。
【符号の説明】
【００４１】
１  衛生用薄葉紙収納容器
２  収納部
２１  取付部
２２  収納部本体
３３ａ  取出孔
Ｐ  衛生用薄葉紙
【図１】
2018052568.tif 000003
【図２】
2018052568.tif 000004
【図３】
2018052568.tif 000005
【図４】
2018052568.tif 000006
【図５】
2018052568.tif 000007